(57)【要約】【課題】低反射型の光部品を用いて反射に起因する光雑音を排除することで同一波長での双方向通信でも十分なクロストークを確保しつつ、安価な光クロスコネクト装置を提供する。【解決手段】反射減衰量が５０ｄＢ以上であるＪ×Ｊの２次元ＭＥＭＳマトリックス型光スイッチと、使用しない端末は反射減衰量５０ｄＢ以上となるように無反射終端処理されている１×２光カプラ４と、反射減衰量５０ｄＢ以上を達成したフィジカルコンタクト型のＳＣ形光コネクタとを用いることで、光アダプタを２連ＳＣ形光アダプタとして、装置全体の減衰量が４５ｄＢ以上となる光クロスコネクト装置を実現する。【選択図】      図１
2004364043.tif 000002
【特許請求の範囲】
【請求項１】
Ｊ個の光入力ポートとＪ個の光出力ポートを備えるＪ×Ｊマトリックス型光スイッチと、該Ｊ×Ｊマトリックス型光スイッチの入力端子に接続される２Ｊ個の入力ポートと、該Ｊ×Ｊマトリックス型光スイッチの出力端子に接続される２Ｊ個の出力ポートと、前記切替手段を切替制御する制御手段とを少なくとも備え、ある入力ポートから入力された信号光を所定の出力ポートに出力する光クロスコネクト装置であって、
前記入力ポートのうち１個の入力ポートと前記出力ポートのうち１個の出力ポートとで構成される一対の入出力ポート毎に２連一対の光コネクタ或いは２心光コネクタを設け、該光コネクタと前記Ｊ×Ｊマトリックス型光スイッチとの間に、２本の入力に対し１本の出力を有する１×２光カプラを挿入配置することを特徴とする光クロスコネクト装置。
【請求項２】
前記光コネクタ、前記１×２光カプラ及び前記Ｊ×Ｊマトリックス型光スイッチが有する反射をすべてあわせた、光クロスコネクト装置の各々の光経路についての反射減衰量が４０ｄＢ以上であることを特徴とする請求項１記載の光クロスコネクト装置。
【請求項３】
前記光コネクタ、前記１×２光カプラ及び前記Ｊ×Ｊマトリックス型光スイッチが有する反射をすべてあわせた、光クロスコネクト装置の各々の光経路についての反射減衰量が４５ｄＢ以上であることを特徴とする請求項１記載の光クロスコネクト装置。
【請求項４】
前記光コネクタは、
端末での反射減衰量が５０ｄＢ以上となるように研磨処理されていることを特徴とする請求項１乃至３記載の光クロスコネクト装置。
【請求項５】
前記１×２光カプラは、
２本の光ファイバを溶融延伸してなる２本の入力と２本の出力を有する光ファイバカプラであって、該出力のうち１本は、末端での反射減衰量が５０ｄＢ以上となるように無反射終端処理されてなる１×２型の光ファイバカプラであることを特徴とする請求項１乃至３記載の光クロスコネクト装置。
【請求項６】
前記Ｊ×Ｊマトリックス型光スイッチは、
５０ｄＢ以上の反射減衰量を有することを特徴とする請求項１乃至３の光クロスコネクト装置。
【発明の詳細な説明】
【０００１】
【発明の属する技術分野】
光通信分野のうちメトロエリアなどにおいて光パス切り替えに利用される小規模・中規模の光クロスコネクト装置に関し、特に、歩留まりを良くし製造コストの低減を図ることができる光クロスコネクト装置に関する。
【０００２】
【従来の技術】
近年、ＴＣＰ／ＩＰ網の普及に伴いＩＥＥＥ  ８０２．３に規定されるイーサネット技術が、フロア内の近距離ＬＡＮのみならず、数ｋｍから数十ｋｍの中距離の伝送にも活用されている。
【０００３】
例えば、ＩＥＥＥ  Ｓｔａｎｄａｒｄ  ８０２．３ａｅの１０ギガビットイーサネット規格においては、ＷＡＮ用の物理層が規定され、１０ＧＢＡＳＥ−ＥＷの場合、１．５５μｍ帯のシングルモード光ファイバを用いて１０Ｇｂｐｓの信号を４０ｋｍ程度伝送することが可能である。また、ファイバチャネル技術によっても同様に、シングルモード光ファイバを用いて１Ｇｂｐｓの信号を１０ｋｍ程度伝送することが可能である。
【０００４】
このような伝送形態において、信号光を高速切替することが可能なＭ×Ｎマトリックス型光スイッチを備えた光クロスコネクト装置が光パス切り替えに利用されている。
【０００５】
図２は、一般的なＭ×Ｎ光クロスコネクト装置の概略を示す構成図である。この光クロスコネクト装置１０１は、Ｍ本の光入力ポート１，２，・・・Ｍと、Ｎ本の光出力ポート１，２，・・・Ｎと、Ｍ×Ｎ個のＭＥＭＳミラーを備えるＭ×Ｎマトリックス型光スイッチ１０３と、ＭＥＭＳミラーの駆動制御を行う制御部１０２を少なくとも備え、Ｍ×Ｎマトリックス型光スイッチ１０３の入力端子には光入力ポート１，２，・・・Ｍが接続され、出力端子には光出力ポート１，２，・・・Ｎが接続されている。そして制御部１０２を介してＭ×Ｎマトリックス型光スイッチ１０３には、制御通信入出力ポートが接続されている。
【０００６】
このような光クロスコネクト装置１０１において、制御通信入出力ポートからＭＥＭＳミラーの切替指示を含む光パス切替信号が入力されると、制御部１０２は、この光パス切替信号からＭＥＭＳミラー番号を抽出し、抽出されたＭＥＭＳミラーに対して駆動制御信号を送る。これによりＭＥＭＳミラーの駆動がオンされると、指定の入力ポートと出力ポートの光経路確立が行われるので、指定の入力ポートから入力された信号光が目的の出力ポートから出力される。
【０００７】
実際には、このような光クロスコネクト装置１０１の構成に加え、ネットワーク運用時の障害検知・障害解析、冗長化を目的とする各種監視機構の追加、及び光スイッチ構成の工夫がなされている。
【０００８】
ところで上述した光クロスコネクト装置１０１の入力ポート及び出力ポートには、一般に送受信用光コネクタとして２連の単心光コネクタ、或いは２心光コネクタが実装されている。図３は、この送受信用光コネクタの代表例である２心のＳＣ形光コネクタ１０６の構成を示す図である。尚、この２心のＳＣ形光コネクタに代えて、光ファイバ１心で双方向通信を行うことができる特開２００２−１３９６５９号公報で開示される光トランシーバを適用しても実現できる。
【０００９】
図３に戻り、具体的にＳＣ形２心光コネクタ１０６は、レセプタクル１０６ａとプラグ１０６ｂから構成されており、レセプタクル１０６ａは光クロスコネクト装置側に実装され、プラグ１０６ｂは局側装置又は伝送路から布設された光ファイバの先端に実装されている。このレセプタクル１０６ａとプラグ１０６ｂは内部に一対の送受信路を有しており、レセプタクル１０６ａにプラグ１０６ｂを嵌合することで、一対の送受信が可能となるものである。
【００１０】
上述したように、入出力の光ファイバは一般に送受信一対で用いられるので、入力ポート（Ｍ）と出力ポート（Ｎ）はＭ＝Ｎとなる。するとＭ×Ｎマトリックス型光スイッチ１０３はＮ×Ｎマトリックス型光スイッチと書き換えることができる。Ｍ×Ｎマトリックス型光スイッチ或いはＮ×Ｎマトリックス型光スイッチでは、伝送路１から伝送路２へ、或いは局側装置１から局側装置２へといった接続も可能であるが、伝送路１から伝送路２への接続、又は局側装置１から局側装置２への接続は必ずしも必要とされるわけではなく、任意の局側装置を任意の伝送路に接続できれば良いという用途も現実的には非常に多い。このような場合、Ｎ×Ｎマトリックス型光スイッチを更にＪ＝Ｎ／２の関係式を用いて、Ｊ×Ｊであるような小規模のＪ×Ｊマトリックス型光スイッチを２個用いて表すことができる。
【００１１】
そこで、図２に示した光クロスコネクト装置１０１に、図３で示したＳＣ形２心コネクタを適用し、且つ、併せて経路を局側装置と伝送路に分けて置き換え、更にＪ×Ｊマトリックス型光スイッチに置き換えて表すと、図４のようになる。
【００１２】
一般的に（Ｎ／２）×（Ｎ／２）のマトリックス型光スイッチはＮ×Ｎマトリックス型光スイッチの１／４の規模であることから、このような光クロスコネクト装置は安価に構成することができるという利点がある。
【００１３】
【特許文献１】
特開平９−２７９７５号公報
【００１４】
【特許文献２】
特開平１０−２００４８９号公報
【００１５】
【特許文献３】
特開平１１−２７２０８号公報
【００１６】
【特許文献４】
特開平１１−４１１７３号公報
【００１７】
【特許文献５】
特開２００２−１３９６５９号公報
【００１８】
【発明が解決しようとする課題】
上述したように、近年のＬＡＮ用の通信方式であるイーサネット／ギガビットイーサネット等において光通信が普及し、建物内・事業所内のＬＡＮのみならず、数ｋｍ〜数十ｋｍ程度の中距離のＭＡＮにもこれら技術が適用されることが増えている。そのような背景から、これら安価な通信システムに適切に使用できる安価な光クロスコネクト装置が要望されている。
【００１９】
しかしながら図４の構成では、まだ光クロスコネクト装置は高価であるため、より一層の低価格化が期待されている。
【００２０】
そこで本発明は、上記課題を鑑みてなされたものであり、その目的は、低反射型の光部品を用いて反射に起因する光雑音を排除することで同一波長での双方向通信でも十分なクロストーク特性を確保しつつ、安価な光クロスコネクト装置を提供することにある。
【００２１】
【課題を解決するための手段】
請求項１記載の発明は、Ｊ個の光入力ポートとＪ個の光出力ポートを備えるＪ×Ｊマトリックス型光スイッチと、このＪ×Ｊマトリックス型光スイッチの入力端子に接続される２Ｊ個の入力ポートと、このＪ×Ｊマトリックス型光スイッチの出力端子に接続される２Ｊ個の出力ポートと、切替手段を切替制御する制御手段とを少なくとも備え、ある入力ポートから入力された信号光を所定の出力ポートに出力する光クロスコネクト装置であって、入力ポートのうち１個の入力ポートと出力ポートのうち１個の出力ポートとで構成される一対の入出力ポート毎に２連一対の光コネクタ或いは２心光コネクタを設け、この光コネクタとＪ×Ｊマトリックス型光スイッチとの間に、２本の入力に対し１本の出力を有する１×２光カプラを挿入配置することを要旨とする。
【００２２】
請求項２記載の発明は、請求項１記載の光クロスコネクト装置において、光コネクタ、１×２光カプラ及びＪ×Ｊマトリックス型光スイッチが有する反射をすべてあわせた、光クロスコネクト装置の各々の光経路についての反射減衰量が４０ｄＢ以上であることを要旨とする。
【００２３】
請求項３記載の発明は、請求項１記載の光クロスコネクト装置において、光コネクタ、１×２光カプラ及びＪ×Ｊマトリックス型光スイッチが有する反射をすべてあわせた、光クロスコネクト装置の各々の光経路についての反射減衰量が４５ｄＢ以上であることを要旨とする。
【００２４】
請求項４記載の発明は、請求項１乃至３記載の光クロスコネクト装置において、光コネクタは、端末での反射減衰量が５０ｄＢ以上となるように研磨処理されていることを要旨とする。
【００２５】
請求項５記載の発明は、請求項１乃至３記載の光クロスコネクト装置において、１×２光カプラは、２本の光ファイバを溶融延伸してなる２本の入力と２本の出力を有する光ファイバカプラであって、この出力のうち１本は、末端が反射減衰量が５０ｄＢ以上となるように無反射終端処理されてなる１×２型の光ファイバカプラであることを要旨とする。
【００２６】
請求項６記載の発明は、請求項１乃至３記載の光クロスコネクト装置において、Ｊ×Ｊマトリックス型光スイッチは、５０ｄＢ以上の反射減衰量を有することを要旨とする。
【００２７】
【発明の実施の形態】
以下、本発明の実施の形態を図面を参照して説明する。
【００２８】
図１は、本発明の実施の形態に係る光クロスコネクト装置１の構成を示す図である。
本発明の光クロスコネクト装置１は、局側装置１，２，・・Ｊに接続されるＪ個の局側入出力ポート１，２，・・・Ｊと、伝送路１，２，・・・Ｊに接続されるＪ個の伝送路入出力ポート１，２，・・・Ｊと、入出力ポート毎に配置されるＹ型の１×２光カプラ４と、１×２光カプラ４を介して接続されるＪ×Ｊマトリックス型光スイッチ３と、Ｊ×Ｊマトリックス型光スイッチ３及びこれら機能部を制御する制御部２と、制御部２を介してＪ×Ｊマトリックス型光スイッチに接続される制御通信入出力ポートとを少なくとも備えている。
【００２９】
この光クロスコネクト装置１は、従来の光クロスコネクト装置１０１と比較し、局側装置入出力ポート１，２，・・ＪとＪ×Ｊマトリックス型光スイッチ３の間に１×２光カプラ４を配置させた点と、伝送路入出力ポート１，２，・・ＪとＪ×Ｊマトリックス型光スイッチ３の間に１×２光カプラ４を配置させた点で異なる。
【００３０】
この光クロスコネクト装置１を実現する上で重要な点は、クロストークの劣化を如何に防止するかである。例えば局側装置１と伝送路３の経路を確立する場合は、Ｊ×Ｊマトリックス型光スイッチ３に具備されるＭＥＭＳミラーの駆動をオンした後に、理想的には局側装置１の受信ポートには伝送路３の送信ポートから入力された信号光のみが到達し、伝送路３の受信ポートには局側装置１の送信ポートから入力された信号光のみが到達するように、両経路間にクロストークが発生しないことが望ましい。
【００３１】
しかし、実際には他の経路からの光が、それぞれの受信ポートに入射することがあり、そのような光雑音が大きい装置（すなわちクロストーク特性の悪い装置）では、通信エラーが頻発して実用に供することができなくなる。
【００３２】
光雑音の主要因は、多くの場合、受信ポートと対になる送信ポートが発した光である。例えば局側装置１の送信ポートから入射した光信号はその全てが伝送路３の受信ポートに到達できるわけではなく、強度的にはごく一部ではあるが様々な部位で反射したものが戻ってきて、局側装置１の受信ポートに到達することになる。その反射は、例えば、１×２光カプラ４と配線の接続部や、配線とＪ×Ｊマトリックス型光スイッチの入力端子との接続部などである。
【００３３】
従来の１心で双方向通信するようなシステムでは、多くの場合、クロストーク特性を改善するために上り方向と下り方向とで異なる波長を用い、波長フィルタを挿入して所望の光信号と反射に起因する光雑音とを分別するといった工夫を実施していた。
【００３４】
しかし、そのような構成とするためには上り方向用波長の光源を備えた装置と下り方向用波長の光源を備えた装置とを必ず対にして使用する必要があり、汎用性に乏しい。
【００３５】
特に、近年急速に普及している安価なイーサネット装置を両側に適用したいような場合には、このような構成の光クロスコネクト装置は向かない。
【００３６】
また、特開２００２−１３９６５９号公報では、複数芯のＹ字型光分配素子を用いることで発光素子からの光の反射光が受光素子に到達しないよう工夫している。
【００３７】
しかしながら、このような構成では、手前側のコネクタ端面での反射が回り込むことは防止できても、相手側コネクタ端面での反射については十分には防止できておらず、実際に特開２００２−１３９６５９号公報の実施例では、放出光強度−１４．０ｄＢｍに対し−３９．６ｄＢｍの光雑音強度があり、反射減衰量でいうと２５．６ｄＢ程度に留まっている。
【００３８】
これは、用途によっては十分な反射減衰量とは言えない数値である。例えば、ダイナミックレンジ、即ち、許容される伝送路損失の幅が２７ｄＢもあるような中距離用の装置では、反射に起因する光雑音強度は受光素子の感度を上回るものとなると考えられる。また、この方法は基本的にコア径の太いマルチモード光ファイバを用いた通信システム用であり、そのままシングルモード光ファイバに適用することはできない。
【００３９】
そこで本発明では、Ｊ×Ｊマトリックス型光スイッチ３は、反射減衰量が５０ｄＢ以上を有する４×４の２次元ＭＥＭＳマトリックス型光スイッチを用いた。
【００４０】
また、１×２光カプラ４は、２本のシングルモード用光ファイバを溶融延伸して形成される４×４の固定型光カプラとし、２本の出力端のうち使用しない１本の末端は、反射減衰量が５０ｄＢ以上となるように無反射終端処理を施している。
【００４１】
更に、光クロスコネクト装置１内部の光配線は、すべて通常のシングルモード光ファイバとした。
【００４２】
また更に、光アダプタは、２連ＳＣ形光アダプタを用い、光クロスコネクト装置１内部の光コネクタは、適切な研磨条件とすることにより反射減衰量５０ｄＢ以上を達成するフィジカルコンタクト型（ウルトラＰＣ研磨（以下、ＵＰＣ研磨という。）あるいはアドバンストＰＣ研磨と呼ばれる。）のＳＣ形光コネクタとした。
【００４３】
上記構成を有する光クロスコネクト装置１の作用・効果を、次に説明する。
【００４４】
まず、光クロスコネクト装置１に内蔵される制御部２は、制御通信入出力ポートを介してＭＥＭＳミラーの切替指示を含む光パス切替信号を取得すると、この光パス切替信号からＭＥＭＳミラー番号を抽出し、このＭＥＭＳミラーに対して駆動制御信号を送る。駆動制御信号によりＭＥＭＳミラーのスイッチがオンされると、指定入力ポートと指定出力ポートの光経路が確立される。
【００４５】
光経路確立後、指定の光入力ポートから入力された信号光は、１×２光カプラ４を介してＪ×Ｊマトリックス型光スイッチに入力され、指定ＭＥＭＳミラーで反射された後に指定の光出力ポートから出力される。
【００４６】
つまり、制御通信入力ポートを介して、例えば局側装置１と伝送路３を接続するＭＥＭＳミラー切替信号が入力されると、制御部２は、この信号から指定のＭＥＭＳミラー番号を抽出し、このＭＥＭＳミラーに対して駆動制御信号を送る。これによりＭＥＭＳミラーのスイッチがオンされると、局側装置１と伝送路３の送受信経路（上り方向及び下り方向）の両経路の接続が確立する。
【００４７】
ここで、局側装置１の入力ポートから信号光を入力すると、１×２光カプラ４を介してＪ×Ｊマトリックス型光スイッチに入力し、切り替えられたＭＥＭＳミラーで反射された後、伝送路３の出力ポートから出力される。同様に、伝送路３の入力ポートから信号光が入力された場合には、１×２光カプラ４を通過後、Ｊ×Ｊマトリックス型光スイッチ３を介して局側装置１の出力ポートに出力される。
【００４８】
従って、本実施の形態によれば、光クロスコネクト装置１を構成する各部品に低反射なものを採用することにより、本質的に反射に起因する光雑音を排除した装置を実現することができるので、同一波長での双方向通信を行っても十分なクロストーク特性を確保することができる。
【００４９】
次に、このような光クロスコネクト装置１の光学特性測定結果を示す。
【００５０】
この測定では、測定対象ポート以外の残り１５ポートには、反射減衰量５０ｄＢ以上のＵＰＣ研磨のＳＣ形光コネクタを接続した通常のシングルモード光ファイバの先にコアレス光ファイバを融着した無反射終端器、を接続して測定した。
【００５１】
上記測定条件のもと、光クロスコネクト装置１の光学特性を測定したところ、局側装置１，２，３，４の計４本の入出力ポート接続と、伝送路１，２，３，４の計４本の入出力ポート接続の各組み合わせからなる合計１６本の入出力光ポートのいずれについても装置卜一タルの反射減衰量は１．３１μｍ及び１．５５μｍ帯Ｃ−Ｂａｎｄ／Ｌ−Ｂａｎｄにおいて４６〜５０ｄＢと良好であった。
【００５２】
反射減衰量が４６ｄＢであれば、例えば、出力（送信）ポートからの入射光強度が−３ｄＢｍであったとしても、入力（受信）ポートに到達する反射に起因する光雑音は−４９ｄＢｍであり、十分小さいので問題にならない。尚、ここでいう−３ｄＢｍは、ＩＥＥＥ  Ｓｔａｎｄａｒｄ．８０２．３に規定されている１０００ＢＡＳＥ−ＬＸのＡｖｅｒａｇｅ  ｌａｕｎｃｈ  ｐｏｗｅｒ（ｍａｘ）である。
【００５３】
次に、前記光学特性の光クロスコネクト装置１に実際に局側装置を接続して同一波長での双方向通信に供した結果を示す。
【００５４】
局側装置には、１０００ＢＡＳＥ−ＬＸポート内蔵のメディアコンバータ装置を使用した。局側装置の１０００ＢＡＳＥ−ＬＸポートの送信ポートを直接短尺のパッチコードで光パワーメータに接続し送出光強度を測定したところ、−７．０ｄＢｍであった。これを、光クロスコネクト装置１に局側装置１として接続した。次に、光クロスコネクト装置１に対し、局側装置１と伝送路１との間に光パスを確立するよう制御通信入出力ポートを介して指示を与え、光パスを確立した。
【００５５】
この状態で、伝送路１用の出力ポートを直接短尺のパッチコードで光パワーメータに接続し送出光強度を測定したところ、−１４．３ｄＢｍであり、光クロスコネクト装置１のこの経路についての挿入損失は７．３ｄＢであった。
【００５６】
次に、伝送路１用の入出力ポートにそれぞれ無反射終端器を接続し、局側装置１の受信ポートに到達する反射光を測定したところ、−５７．４ｄＢｍであった。このことから、許容伝送路損失が２７ｄＢであるメディアコンバータを使用した場合に、光クロスコネクト装置１の挿入損失から考えて約２０ｄＢの伝送路損失が許容可能であり、その場合であっても信号光と反射に起因する光雑音との比は２３ｄＢと十分大きいことが確認された。実際に、伝送路の代わりとして２０ｄＢの固定光減衰器を用い、これを介してもう１台の１０００ＢＡＳＥ−ＬＸポート内蔵のメディアコンバータ装置を伝送路１用入出力ポートに接続し、正常に通信できることを確認した。
【００５７】
続いて、局側装置或いは伝送路の先に接続された装置の送受信回路で発生する反射光の影響を確認するために、固定光減衰器を外し、伝送路１用入出力ポートに前記２台目の装置を短尺のパッチコードで直接接続した。前記装置の１０００ＢＡＳＥ−ＬＸポートの送受信回路は、規格を十分満たすものであるが光クロスコネクト装置１に比較すると反射は大きい。この構成で、伝送路１側の装置の送信ポートの発光を停止し、局側装置１の受信ポートに到達する反射光を測定したところ、−３３．７ｄＢｍであった。このとき、信号光と反射に起因する光雑音との比は１９ｄＢと十分大きく、実際に２台の装置間で正常に通信できることを確認した。
【００５８】
以上の実験から、光クロスコネクト装置１の反射減衰量が十分大きければ、反射に起因する光雑音を排除した光通信システムを構築することが可能であり、同一波長での双方向通信を行っても十分なクロストーク特性を確保することができることが示された。
【００５９】
ここで、どの程度の反射減衰量が必要であるかが問題となるが、中距離用のイーサネット光メディアコンバータ等では伝送路の許容損失幅が３０ｄＢ前後のものまでが市販されており、これ以上とする必要がある。
【００６０】
更に、実際には受光素子の受光感度は規格値よりもさらに余裕をもたせてあるので、その分も考慮すると、実用に供するためには反射減衰量は４０ｄＢ以上であることが望ましい。マージンを確保し安定した特性を得るためには更に４５ｄＢ以上であることが望ましい。
【００６１】
従って、上記考察のもと本実施の形態で説明したように、光クロスコネクト装置１には、反射減衰量が５０ｄＢ以上であるＪ×Ｊの２次元ＭＥＭＳマトリックス型光スイッチと、使用しない端末は反射減衰量５０ｄＢ以上となるように無反射終端処理されている１×２光カプラ４と、反射減衰量５０ｄＢ以上を達成したフィジカルコンタクト型のＳＣ形光コネクタとを用い、更に光クロスコネクト装置１内部の光配線を全て通常のシングルモード光ファイバにし、光アダプタを２連ＳＣ形光アダプタとして、装置全体の減衰量が４５ｄＢ以上となる光クロスコネクト装置を実現することができる。
【００６２】
このような構成とすることで、光クロスコネクト装置の反射減衰量を４５ｄＢ以上とすることができるので、同一波長を用いた双方向通信が実施可能となる。これにより、光クロスコネクト装置に用いるマトリックス型光スイッチの規模を従来の１／４に削減することができる。また、従来双方向通信において必要であった上り方向用と下り方向用の２種類以上の光源が１種類で実現でき、更に波長を分波するための波長フィルタも不要となるため、従来装置と比較して安価に実現することができる。
【００６３】
【発明の効果】
従って本発明によれば、低反射型の光部品を用いて反射に起因する光雑音を排除することで同一波長での双方向通信でも十分なクロストークを確保しつつ、安価な光クロスコネクト装置を提供することができる。
【図面の簡単な説明】
【図１】本発明の実施の形態に係る光クロスコネクト装置１の構成を示す図である。
【図２】従来の光クロスコネクト装置１０１の構成を示す図である。
【図３】ＳＣ形２心光コネクタ１０６の構成を示す図である。
【図４】従来の光クロスコネクト装置１０１のＭ×Ｎマトリックス型光スイッチに代え、Ｊ×Ｊマトリックス型光スイッチ１０３ａ、１０３ｂを配置させた構成を示す図である。
【符号の説明】
１…光クロスコネクト装置
２…制御部
３…Ｊ×Ｊマトリックス型光スイッチ
４…光カプラ
１０１…光クロスコネクト装置
１０２…制御部
１０３…Ｍ×Ｎマトリックス型光スイッチ
１０６…ＳＣ形２心光コネクタ
１０６ａ…レセプタクル
１０６ｂ…プラグ
【図１】
2004364043.tif 000003
【図２】
2004364043.tif 000004
【図３】
2004364043.tif 000005
【図４】
2004364043.tif 000006